【手続補正書】
【提出日】平成23年2月28日(2011.2.28)
【手続補正１】
【補正対象書類名】特許請求の範囲
【補正対象項目名】全文
【補正方法】変更
【補正の内容】
【特許請求の範囲】
【請求項１】
手術用の照明装置であって、
筐体および出力端（a distal end with an output）を有するハンドピースと、
前記筐体内に配置された電源と、
前記筐体内に配置され、前記電源に接続され、実質的に（substantially）白の光源と１つまたは複数の帯域制限光源とを含む光源構成と、
前記筐体内に配置され、前記実質的に白の光源により生成された実質的に白の光を、前記少なくとも１つの帯域制限光源により生成された少なくとも１つの帯域制限光と結合して、出力を通過するように方向づけられた薄色の光（a tinted light）を生じさせる結合装置と、を有する照明装置。
【請求項２】
前記白の光源および前記帯域制限光源の１つまたは複数にパルスを与えるように構成されている電気回路をさらに有する請求項１に記載の照明装置。
【請求項３】
前記パルスは、前記結合光のスペクトル選択ができるように構成されている請求項２に記載の照明装置。
【請求項４】
前記電気回路は、マイクロプロセッサを有する請求項２または３に記載の照明装置。
【請求項５】
前記光源構成は、少なくとも１つの発光ダイオードを有する請求項１から４のいずれか１項に記載の照明装置。
【請求項６】
前記実質的に白の光源は、発光ダイオード以外のものから形成され、前記１つまたは複数の帯域制限光源は、少なくとも１つの発光ダイオードから形成される請求項１から５のいずれか１項に記載の照明装置。
【請求項７】
前記ハンドピースは、コントローラをさらに有し、前記コントローラは、ユーザからのフィードバックを受信して、前記薄色の光の１つまたは複数の光学特性を制御するように構成されている請求項１から６のいずれか１項に記載の照明装置。
【請求項８】
前記ハンドピースから離れた位置にあるコントローラをさらに有し、前記コントローラは、ユーザからのフィードバックを受信して、前記薄色の光の１つまたは複数の光学特性を制御するように構成されている請求項１から６のいずれか１項に記載の照明装置。
【請求項９】
前記ハンドピースは、少なくとも１つの入力装置をさらに有し、前記少なくとも１つの入力装置は、ユーザからのフィードバックを受信し、前記薄色の光の１つまたは複数の光学特性を制御するコントローラに前記フィードバックを送信するように構成されている請求項１から６のいずれか１項に記載の照明装置。
【請求項１０】
前記コントローラは、前記光源構成により生成された前記薄色の光の強度を制御するように構成されている請求項７から９のいずれか１項に記載の照明装置。
【請求項１１】
前記ハンドピースは、前記光源構成を冷却する冷却装置をさらに有する請求項１から１０のいずれか１項に記載の照明装置。
【請求項１２】
前記冷却装置は、前記光源構成を４０度未満に冷却するように構成されている請求項１１に記載の照明装置。
【請求項１３】
前記少なくとも１つの帯域制限光は、前記少なくとも１つの帯域制限光源から発生し、１つまたは複数の特定の波長または波長範囲を選択する１つまたは複数のレンズおよび／またはフィルタを通過した光を方向づけることによって生成される請求項１から１２のいずれか１項に記載の照明装置。
【請求項１４】
前記照明装置は、眼内外科照明用に構成されている請求項１から１３のいずれか１項に記載の照明装置。
【請求項１５】
前記１つまたは複数の帯域制限光源は、赤の光源および緑の光源を有する請求項１から１４のいずれか１項に記載の照明装置。
【請求項１６】
前記１つまたは複数の帯域制限光源は、赤の光源、青の光源、および緑の光源を有する請求項１から１４のいずれか１項に記載の照明装置。
【請求項１７】
所望の電力の電源出力を発生するように構成されている電源と、
前記電源から受けた電源に応答して発光するように構成されている照明部と、
前記照明部からの前記光の波長範囲を選択するように構成されている結合部と、
前記結合部からの光を１つまたは複数の光ファイバと結合するように構成されている結合インターフェイスと、
１つまたは複数の光ファイバを有し、光を前記結合インターフェイスから手術現場へ送るように構成されているファイバ出力ステージと、
を有する可搬ハンドピースと、
を有する照明装置。
【請求項１８】
前記電源の前記電源出力を調節するように構成されているフィートバックコントローラと、
前記照明部によって放射される光の強度を制御するユーザ入力装置であって、前記フィードバックコントローラにユーザ選択光強度に基づいて第１の信号を送信し、前記フィードバックコントローラは、前記第１の信号に応答して前記電源によって前記照明部に供給される前記電力を変更するように第２の信号を前記電源に送信するユーザ入力装置と、
をさらに有する請求項１７に記載の照明装置。
【請求項１９】
前記フィードバックコントローラは、前記電源にフィードバックを行うように前記ユーザ入力装置との有線通信リンクを有する、請求項１８に記載の照明装置。
【請求項２０】
前記照明部は１つまたは複数のＬＥＤを有する、請求項１８または１９に記載の照明装置。
【請求項２１】
電源を備えているホスト装置、並びに、該ホスト装置と通信する制御機構を備える可搬手持ち照明器との有線通信部を有する制御部、を有する照明装置と、
前記ホスト装置から受けた電力に応答して発光する手持ち照明器と、
を有する、有線照明装置。
【請求項２２】
前記手持ち照明器は、広帯域発光の強度を変更するようにホスト装置コントローラに第１の信号を送信するように構成されたユーザ入力装置を有し、前記ホスト装置コントローラは前記手持ち照明器の電力を変更するように前記電源に第２の信号を送信するように構成されている、請求項２１に記載の装置。
【請求項２３】
ホスト装置を有する照明装置であって、
前記ホスト装置は、
無線通信プロトコルに準拠している第１のトランシーバと、
音声認識装置と
前記無線通信プロトコルを介して前記ホスト装置と通信するポータブルハンドピースと、
を有し、
前記ポータブルハンドピースは、
前記ホスト装置との無線通信用の第２のトランシーバと、
電源と、
フィードバックコントローラと、
前記電源から受けた電力に応答して発光する照明部と、
前記照明装置によって放射される光の強度を制御する第１のユーザ入力装置であって、前記フィードバックコントローラにユーザ選択光強度に基づいて第１信号を送信する第１のユーザ入力装置と、
前記第１信号に応答して前記電源によって前記照明部に供給される前記電力を変更するように第２信号を前記電源に送信する前記フィードバックコントローラと、
ユーザ入力を受け取る第２のユーザ入力装置と、
を有し、
音声データは前記第２のトランシーバによって前記第１のトランシーバへ無線で送信され、前記音声認識装置によって保存または応答の出力を生成するように処理される、
照明装置。
【請求項２４】
前記電源は電池を有し、前記電源は電池電圧をＬＥＤ光源に必要な電圧に昇圧するブーストコンバータを有する、請求項２３に記載の照明装置。
【請求項２５】
結合がエンドプローブコンポーネントを介して実現される、請求項２３または２４に記載の照明装置。
【請求項２６】
前記照明部のパルスの繰り返し数は、パルス光を連続していると知覚する人間の知覚の閾値に対応している、請求項２３から２５のいずれか１項に記載の照明装置。
【請求項２７】
前記照明部は複数のＬＥＤを有する、請求項２３から２６のいずれか１項に記載の照明装置。